(57)【要約】【課題】比較的よい放熱効果を有する電動工具のバッテリーを提供する。【解決手段】キャップ１０、ケース２０、電池本体４０及びアクティブユニットセット３０を備える。キャップは内部に第一収容室１１と第一陥凹溝１２とを有する。ケースは内部に第二収容室２１を有し、頂端に穿孔２２を有し、底端に通孔を有し、側辺に第一貫通孔２４と導通孔２５とを有する。電池本体には外部の電子設備と電気的に導通するため導通端片４３を有する。アクティブユニットセットにはアクティブユニット３１とスプリング３２とを有し、アクティブユニットには突状柱３１５、第二陥凹溝３１４及び第二貫通孔３１３を有する。【選択図】図１
0003131098.tif 000002
【実用新案登録請求の範囲】
【請求項１】
内部に第一収容室と第一陥凹溝とを有するキャップと、
内部に第二収容室を有し、かつキャップと合わさって第一収容室と第二収容室とを接続する配置空間が形成され、頂端に外部と繋がる穿孔を有し、底端に第二収容室と外部とが繋がる通孔とを有し、側辺に第二収容室と外部とが繋がる第一貫通孔及び導通孔を有するケースと、
蓄電に用いるため配置空間の中に配置され、かつ外部の電子設備と電気的に導通するためケースの導通孔の中に配置される導通端片を有する電池本体と、
アクティブユニットとスプリングとを有し、アクティブユニットは配置空間の中に配置され、かつ突状柱、第二陥凹溝及び第二貫通孔を有し、突状柱は穿孔の中に位置付けられ、スプリングは第一陥凹溝と第二陥凹溝との間に配置されるアクティブユニットセットと、を備え、
突状柱が外力により圧迫されてアクティブユニットが押されスプリングが圧縮される場合、第二貫通孔と第一貫通孔とは繋がれた状態となり、外部の気体が導かれ、放熱が行われ、突状柱が外力による圧迫を受けていない場合、スプリングによりアクティブユニットが跳ね返され、第二貫通孔と第一貫通孔とは分離状態となることを特徴とする電動工具のバッテリー。
【請求項２】
キャップは外部の電子設備と嵌合可能にするために、外側に弾性のある係止ユニットを二つ有することを特徴とする請求項１に記載の電動工具のバッテリー。
【請求項３】
アクティブユニットには嵌合部と突出部とを有し、嵌合部は電池本体を覆うように設けられ、第二貫通孔は嵌合部の側辺に形成され、突出部は嵌合部の頂端から外側へ延伸して形成され、かつ突出部の頂端にはキャップの第一陥凹溝に対応する第二陥凹溝を有し、突出部の底端にはケースの穿孔に対応する突状柱を有することを特徴とする請求項１に記載の電動工具のバッテリー。
【請求項４】
キャップには第一収容室と外部とが繋がる孔を有することを特徴とする請求項１に記載の電動工具のバッテリー。
【考案の詳細な説明】
【技術分野】
【０００１】
本考案は電動工具の付属品、詳しく言えば電動工具のバッテリーに関するものである。
【背景技術】
【０００２】
電動工具のバッテリーの蓄電量を増大させて長時間の電力供給を図るため、業界において、蓄電量の比較的大きいリチウム電池を採用することが主流となっている。
リチウム電池は蓄電量が比較的大きいが、充電中大量の熱エネルギーを生じ、本体の温度を非常に高くしてしまう。また充電器は放熱装置を有し、放熱装置は充電器のみに対し放熱作用を生じ、充電器と電池の周囲との放熱をする効果はあるが、電池そのものの温度を下げたり、効率よく放熱したりすることはできず、高温のため電池を焼損するという事態が発生する。
【考案の開示】
【考案が解決しようとする課題】
【０００３】
本考案の主な目的は、比較的よい放熱効果を有する電動工具のバッテリーを提供することである。
【課題を解決するための手段】
【０００４】
上述の目的を達成するために、本考案による電動工具のバッテリーにはキャップ、ケース、電池本体及びアクティブユニットセットを備える。キャップは内部に第一収容室と若干の第一陥凹溝とを有する。ケースは内部に第二収容室を有し、かつケースとキャップとは合わさって第一収容室と第二収容室とが連続した配置空間を形成し、かつケースは頂端に外部と繋がる若干の穿孔を有し、底端に第二収容室と外部とが繋がる若干の通孔を有し、側辺に第二収容室と外部とが繋がる若干の第一貫通孔と導通孔とを有する。電池本体は蓄電に用いるように配置空間の中に配置され、かつ外部の電子設備と電気的に導通するためにケースの導通孔の中に位置付けられる若干の導通端片を有する。アクティブユニットセットにはアクティブユニットと若干のスプリングとを有し、アクティブユニットは配置空間の中に位置付けられ、かつ若干の突状柱、第二陥凹溝及び若干の第二貫通孔を有し、そのうち突状柱は穿孔の中に位置付けられる。スプリングは第一陥凹溝と第二陥凹溝との間に位置付けられる。突状柱が外力により圧迫されてアクティブユニットを押してスプリングを圧縮する場合、第二貫通孔と第一貫通孔とは繋がる状態となり、突状柱が外力により圧迫を受けていない場合、スプリングはアクティブユニットを跳ね返させ、第二貫通孔と第一貫通孔とは分離状態となる。
【考案を実施するための最良の形態】
【０００５】
以下、本考案の特徴と目的とを実施例と図面とに基づいて説明する。
図１から図３に示すように、本実施例による電動工具のバッテリー１００にはキャップ１０、ケース２０、アクティブユニットセット３０及び電池本体４０を備える。
キャップ１０には第一収容室１１と第一収容室１１の底部周縁に形成される若干の第一陥凹溝１２とを有し、かつ充電器または電動工具と嵌合するためにキャップ１０の外側には弾性のある係止ユニット１３を二つ有する。またキャップ１０は頂端に第一収容室と外部とが繋がる若干の孔１４を有する。
【０００６】
ケース２０は内部に第二収容室２１を有し、その頂端の周縁には外部に繋がる若干の穿孔２２を有し、ケース２０の底端には第二収容室２１と外部とが繋がる若干の通孔２３を有し、ケース２０の外側面には第二収容室２１と外部とが繋がる若干の第一貫通孔２４を有し、ケース２０の側辺かつ底端に近い位置には第二収容室２１と外部とが繋がる導通孔２５を有する。
【０００７】
アクティブユニットセット３０には、アクティブユニット３１と若干のスプリング３２とを有する。アクティブユニット３１には、嵌合部３１１と突出部３１２とを有する。嵌合部３１１は形が一定した環状体であり、かつ嵌合部３１１の側辺にはケース２０の第一貫通孔２４に対応する若干の第二貫通孔３１３を有し、第二貫通孔３１３は嵌合部３１１の内側と外側とが繋がるように設けられる。突出部３１２は嵌合部３１１の頂端から外側へ延伸して形成され、かつ突出部３１２の頂端にはキャップ２０の第一陥凹溝１２に対応する若干の第二陥凹溝３１４を有し、突出部３１２の底端にはケース２０の穿孔２２に対応する若干の突状柱３１５を有する。スプリング３２は圧縮スプリングである。
【０００８】
電池本体４０は制御回路板４１、若干のコンデンサー４２及び若干の導通端片４３を有する。制御回路板４１はコンデンサー４２の頂端に位置付けられ、かつコンデンサー４２と電気的に接続され、導通端片４３はコンデンサー４２の底端に位置付けられ、かつ制御回路板４１及びコンデンサー４２と電気的に接続される。また導通端片４３の位置は、ケース２０の導通孔２５の位置に対応する。
以上は本考案の実施例による電動工具のバッテリー１００の部品についての説明である。続いて組立方法と使用の際の特徴とについて説明する。
【０００９】
まずスプリング３２の一端をキャップ１０の第一陥凹溝１２中に置き、その後アクティブユニット３１をキャップ１０の第一収容室１１中に置き、スプリング３２の他端をアクティブユニット３１の第二陥凹溝３１４中に置き、続いて電池本体４０のコンデンサー４２をアクティブユニット３１の内部に差し込み、ケース２０の頂端とキャップ１０の底端とを結合させるように固定するため、キャップ１０の第一収容室１１とケース２０の第二収容室２１とにより配置空間を共同構成し、アクティブユニット３１の突状柱３１５をケース２０の穿孔２２に入り込ませることが可能である。続いて電池本体４０の導通端片４３をケース２０の導通孔２５中に位置させることにより、外部の充電器または電動工具と電気的に接続することが可能であり、続いて導通端片４３を介して充電器の電力をコンデンサー４２に入力して蓄電するか、導通端片４３を介してコンデンサー４２内の電力を電動工具に出力する。この時、ケース２０の第一貫通孔２４とアクティブユニット３１の第二貫通孔３１３とは図２に示すように繋がらずずれている状態となる。
【００１０】
電動工具のバッテリー１００を充電器５０に差し込んで充電する場合、ケース２０から充電器５０の充電槽に差し込み、導通端片４３を充電器５０の充電端片（図中未表示）に接触させることにより、充電端片を介して電力を導通端片からコンデンサー４２へ入力し、充電（蓄電）作業を行うことが可能である。
【００１１】
電動工具のバッテリー１００を充電器５０に差し込んでいる場合、アクティブユニット３１の突状柱３１５は充電器５０上の突状ブロック５１の圧迫を受け、突状ブロック５１の圧迫を受けた突状柱３１５は上へ移動する。つまり、アクティブユニット３１がスプリング３２を圧縮すれば、第一位置から第二位置へ移動する。アクティブユニット３１を第一位置に移動させれば、第二貫通孔３１３とケース２０の第一貫通孔２４とは繋がらずずれている状態となり、アクティブユニット３１を第二位置に移動させればアクティブユニット３１の第二貫通孔３１３とケース２０の第一貫通孔２４とは図３に示すように向かい合うように繋がる状態となる。
【００１２】
これにより、電動工具のバッテリー１００の充電を行う場合、それに繋がる第一貫通孔２４と第二貫通孔３１３とを介して気体を配置空間内に導き、かつケース２０内の電池本体４０内へ流入させ、流動した気体を介して電池本体４０が生じた熱エネルギーをケース２０の通孔２３から排出することにより、電池本体４０に対し放熱・温度低下作用を行うことが可能である。あるいは孔１４を介して気体を配置空間内に導き、その後通孔２３を介して気体を引き出すことにより、電池本体４０に対し放熱・熱下げ作用を行うことが可能である。
【００１３】
充電が完了した後、充電器５０から電動工具のバッテリー１００を取り出し、アクティブユニット３１の突状柱３１５を外力作用（突状ブロックによる作用）から脱出させ、スプリング３２を介してアクティブユニット３１を第一位置へ移動させ、ケース２０の第一貫通孔２４とアクティブユニット３１の第二貫通孔３１３とを連続しないようにずらせば外部の異物が入り込んで汚染を起こすことを防止することが可能である。
【図面の簡単な説明】
【００１４】
【図１】本考案の一実施例における電動工具のバッテリーの立体分解図である。
【図２】本考案の一実施例における電動工具のバッテリーの充電前の状態を示す断面図である。
【図３】本考案の一実施例における電動工具のバッテリーの充電状態を示す断面図である。
【符号の説明】
【００１５】
１００：電動工具のバッテリー、１０：キャップ、１１：第一収容室、１２：第一陥凹溝、１３：係止ユニット、１４：孔、２０：ケース、２１：第二収容室、２２：穿孔、２３：通孔、２４：第一貫通孔、２５：導通孔、３０：アクティブユニットセット、３１：アクティブユニット、３１１：嵌合部、３１２：突出部、３１３：第二貫通孔、３１４：第二陥凹溝、３１５：突状柱、３２：スプリング、４０：電池本体、４１：制御回路版、４２：コンデンサー、４３：導通端片、５０：充電器、５１：突状ブロック
【図１】
0003131098.tif 000003
【図２】
0003131098.tif 000004
【図３】
0003131098.tif 000005